(57)【要約】【課題】  予め記憶された表示データをユーザ固有の表記に容易に変更できる携帯端末装置及び携帯端末装置の表示データ編集方法を提供する。【解決手段】表示処理部３ｅ１は記憶部４の書き込み読み出しを制御し登録された表示データにより表示部４に各種の表示画面を表示し、編集処理部３ｃはキー入力部１のキー操作により表示画面の表示データの編集及び重複する表示データの一括編集を行い、検索処理部３ｅ３は編集対象の表示データに関連する変更前及び変更後の表示データの重複する表示データを検索する。【選択図】    図１３
2006129398.tif 000002
【特許請求の範囲】
【請求項１】
表示画面を表示する表示部と、編集可能な表示データを含む画面データを格納する記憶部と、表示データを入力可能なキー入力部と、前記記憶部に対する画面データの書き込み及び読み出しにより表示画面を前記表示部へ表示する表示処理部と、表示画面毎に前記表示部に表示された表示データを前記キー入力部から入力した表示データにより変更する編集処理部と、を備えることを特徴とする携帯端末装置。
【請求項２】
前記表示処理部は、前記表示画面の表示データに変更用のカーソル付を付けた編集画面に切り換える切換機能を有し、前記編集処理部は、前記キー入力部の操作により前記編集画面のカーソル位置の表示データを変更する編集機能を有することを特徴とする請求項１記載の携帯端末装置。
【請求項３】
前記画面データの編集対象となった変更前の表示データと同一の表示データを検索する検索処理部を備え、前記編集処理部は、前記検索処理部で検索した前記同一の表示データを前記編集対象となった変更前の表示データとともに一括して変更する一括変換機能を有することを特徴とする請求項１又は２記載の携帯端末装置。
【請求項４】
前記表示処理部は、前記検索処理部による検索結果としての前記同一の表示データを含む表示画面を特定する画面特定情報であって、キー入力部からの選択により前記同一の表示データの変更の設定が可能な画面特定情報を含む変更前検索結果画面を表示する表示機能を有し、前記編集処理部は、前記変更前検索結果画面で選択された表示画面の前記同一の表示データを変更する機能を有することを特徴とする請求項３記載の携帯端末装置。
【請求項５】
前記表示処理部は、前記変更前検索結果画面の画面特定情報の選択により当該表示画面の表示へ遷移する画面遷移機能を有することを特徴とする請求項３又は４記載の携帯端末装置。
【請求項６】
前記検索処理部は、前記変更後の表示データと同一の表示データを検索する検索機能を有し、前記編集処理部は、前記検索処理部で検索した前記変更後の表示データと同一の表示データを含む表示データを前記変更前の表示データとともに一括して変更する一括変換機能を有することを特徴とする請求項１ないし５の何れかの請求項記載の携帯端末装置。
【請求項７】
前記表示処理部は、前記検索処理部による検索結果としての前記同一の表示データを含む表示画面を特定する画面特定情報であって、キー入力部からの選択により前記同一の表示データの変更の設定が可能な画面特定情報を含む変更後検索結果画面を表示する表示機能を有し、前記編集処理部は、前記変更後検索結果画面で選択された表示画面の前記同一の表示データを変更する機能を有することを特徴とする請求項６記載の携帯端末装置。
【請求項８】
前記表示処理部は、前記変更後検索結果画面の画面特定情報の選択により、当該表示画面の表示へ遷移する画面遷移機能を有することを特徴とする請求項６又は７記載の携帯端末装置。
【請求項９】
前記記憶部は、前記表示データに関連して少なくとも制限文字数及びフォント情報を含む付随情報を記憶し、前記表示処理部は前記付随情報に基づいて表示データを表示し、前記編集処理部は編集対象の表示データを前記付随情報に基づいて編集することを特徴とする請求項１ないし８の何れかの請求項記載の携帯端末装置。
【請求項１０】
前記画面特定情報は、予め表示データの付随情報として登録された待ち受け画面から前記表示データを含む表示画面までの操作手順の情報であることを特徴とする請求項４ないし８の何れかの請求項記載の携帯端末装置。
【請求項１１】
編集対象とする表示データを含む表示画面は、携帯端末装置の機能設定のメニュー表示画面であることを特徴とする請求項１ないし１０記載の携帯端末装置。
【請求項１２】
記憶部に格納された画面データに基づいて表示部への異なる表示画面の表示が可能な携帯端末装置の表示データ編集方法において、任意の表示画面で当該表示画面を編集画面に切り替え、編集画面の表示データをキー入力部の操作により変更し、変更した表示データを前記記憶部に格納することを特徴とする携帯端末装置の表示データ編集方法。
【請求項１３】
前記編集画面の編集対象の表示データにカーソル表示を行い、カーソル位置の表示データを変更することを特徴とする請求項１２記載の携帯端末装置の表示データ編集方法。
【請求項１４】
前記画面データの編集対象となった変更前の表示データと同一の表示データを検索し、前記同一の表示データを前記編集対象となった変更前の表示データとともに一括して変更することを特徴とする請求項１２又は１３記載の携帯端末装置の表示データ編集方法。
【請求項１５】
前記検索結果としての前記同一の表示データを含む表示画面を特定する画面特定情報であって、キー入力部からの選択により前記同一の表示データの変更の設定が可能な前記画面特定情報を含む変更前検索結果画面を表示し、前記変更前検索結果画面で選択された表示画面の前記同一の表示データを変更することを特徴とする請求項１４記載の携帯端末装置の表示データ編集方法。
【請求項１６】
前記変更前検索結果画面の画面特定情報の選択により当該表示画面の表示へ切換可能であることを特徴とする請求項１４又は１５記載の携帯端末装置の表示データ編集方法。
【請求項１７】
前記変更後の表示データと同一の表示データを検索し、検索した前記変更後の表示データと同一の表示データを含む表示データを前記変更前の表示データとともに一括して変更することを特徴とする請求項１２ないし１６の何れかの請求項記載の携帯端末装置の表示データ編集方法。
【請求項１８】
検索結果としての前記同一の表示データを含む表示画面を特定する画面特定情報であって、キー入力部からの選択により前記同一の表示データの変更の設定が可能な前記画面特定情報を含む変更後検索結果画面を表示し、前記変更後検索結果画面で選択された表示画面の前記同一の表示データを変更することを特徴とする請求項１７記載の携帯端末装置の表示データ編集方法。
【請求項１９】
前記変更後検索結果画面の画面特定情報の選択により、当該表示画面の表示へ切換可能であることを特徴とする請求項１７又は１８記載の携帯端末装置の表示データ編集方法。
【請求項２０】
前記記憶部は前記表示データに関連して少なくとも制限文字数及びフォント情報を含む付随情報を記憶し、前記付随情報に基づいて表示データを表示し、編集対象の表示データを前記付随情報に基づいて編集することを特徴とする請求項１２ないし１９の何れかの請求項記載の携帯端末装置の表示データ編集方法。
【請求項２１】
前記画面特定情報は、予め表示データの付随情報として登録された待ち受け画面から前記表示データを含む表示画面までの操作手順の情報であることを特徴とする請求項１５ないし１９の何れかの請求項記載の携帯端末装置の表示データ編集方法。
【請求項２２】
編集対象とする表示データを含む表示画面は、携帯端末装置の機能設定のメニュー表示画面であることを特徴とする請求項１２ないし２１記載の携帯端末装置の表示データ編集方法。
【発明の詳細な説明】
【技術分野】
【０００１】
本発明は携帯端末装置に関し、特に、携帯電話機等の表示データの変更を可能とする携帯端末装置及び携帯端末装置の表示データ編集方法に関する。
【背景技術】
【０００２】
従来の携帯端末装置においては、メニュー画面等において複数の表示項目により各種の設定が可能な機能を有しており、それぞれの機能設定等の表示画面の表示データはメーカにより予め固定的に登録されており、ユーザはこの表示項目に基づいて各種の設定、通話、メール送受信、ゲーム等の操作を行っている。
【０００３】
また、昨今の携帯端末装置はファッションや生活の一部ともなっており、筐体の装飾に加え待ち受け画面や着メロ等を自分の好みに合わせて設定するユーザが多くなってきている。
【０００４】
また、ユーザの嗜好又は使用用途に対応したグラフィックユーザインターフェイスをメニュー画面提供サーバーからインターネットを介してダウンロードすることによりメニュー画面として設定できるようにした携帯端末装置も知られている（特許文献１参照）
【特許文献１】特開２００３−５８８３号公報
【発明の開示】
【発明が解決しようとする課題】
【０００５】
携帯端末装置の機能はＰＣ並に膨れ上がってきており、これに伴い画面数も多くなり表示データ量も膨大になってきている。このような状況にもかかわらず、装置の小型化による画面サイズの制限から表示文字数は必要最小限に抑えられており、更に特定機能の表示データが複数画面に現れる等により表示データの内容又は表現が理解困難となる状況も起きてきている。
【０００６】
また、特許文献１記載の携帯端末装置では画面をインターネットを介してダウンロードすることによりメニュー画面を変更することが可能であるが、ユーザが表示データを表示データ単位等で簡単に変更したり希望通りに編集できるものではない。
【０００７】
［発明の目的］
そこで、携帯無線端末の各種の表示画面で表示項目の表示データをユーザが自分の理解しやすい表現等に変更可能とすれば利便性が向上し使い勝手が高まる。更に、ユーザが表示データを変更できるようにする場合、文字数の制限による重複の可能性を考慮し、ユーザが短時間で簡単に全ての画面での重複の確認を行うことを可能にすると好適である。
【０００８】
本発明の主な目的は、表示画面の表示項目をユーザ独自の表記に変更可能とした携帯端末装置及び携帯端末装置の表示データ編集方法を提供することにある。
【０００９】
本発明の他の目的は、携帯端末装置の表示画面上の全ての表示項目の表示データを対象としユーザにとって解りやすい表記にする等、任意に変更することを可能にし、使用により使い勝手を向上できるユーザフレンドリーな携帯端末装置及び携帯端末装置の表示データ編集方法を提供することにある。
【００１０】
本発明の他の目的は、表示データの変更時に他で使用している同一表示データのチェック（重複チェック）を可能とし、簡単に表示項目を統一することが可能な携帯端末装置及び携帯端末装置の表示データ編集方法を提供することにある。
【課題を解決するための手段】
【００１１】
本発明に係る携帯端末装置及び携帯端末装置の表示データ編集方法は、具体的には、変更したい表示データがあった場合、その画面が表示された状態で特定キーを押すことにより、表示データを編集することができる編集機能を起動させる手段と、画面表示上の編集できる表示データを抽出し、編集対象の表示データにカーソル表示するカーソル処理と、カーソルのある表示データに付随した情報（付随情報）を読み出すデータ情報読み出し処理と、読み出した付随情報の中のひとつである最大入力文字数の範囲で任意の表示データを入力可能にするデータ入力処理と、変更入力された表示データだけでなく変更前の表示データ、更には変更後の表示データについても重複チェックを実施するデータ検索処理と、重複チェックにより抽出されたデータに対して置き換え有無の設定により、変更及びデータ登録するデータ登録処理と、を有することによりユーザが容易に表示データを任意に変更することを可能とするものである。
【００１２】
本発明の携帯端末装置は、表示画面を表示する表示部と、編集可能な表示データを含む画面データを格納する記憶部と、表示データを入力可能なキー入力部と、前記記憶部に対する画面データの書き込み及び読み出しにより表示画面を前記表示部へ表示する表示処理部と、表示画面毎に前記表示部に表示された表示データを前記キー入力部から入力した表示データにより変更する編集処理部と、を備え、前記表示処理部は、前記表示画面の表示データに変更用のカーソル付を付けた編集画面に切り換える切換機能を有し、前記編集処理部は、前記キー入力部の操作により前記編集画面のカーソル位置の表示データを変更する編集機能を有し、前記画面データの編集対象となった変更前の表示データと同一の表示データを検索する検索処理部を備え、前記編集処理部は、前記検索処理部で検索した前記同一の表示データを前記編集対象となった変更前の表示データとともに一括して変更する一括変換機能を有する。また、前記表示処理部は、前記検索処理部による検索結果としての前記同一の表示データを含む表示画面を特定する画面特定情報であって、キー入力部からの選択により前記同一の表示データの変更の設定が可能な画面特定情報を含む変更前検索結果画面を表示する表示機能を有し、前記編集処理部は、前記変更前検索結果画面で選択された表示画面の前記同一の表示データを変更する機能を有し、前記表示処理部は、前記変更前検索結果画面の画面特定情報の選択により当該表示画面の表示へ遷移する画面遷移機能を有する。
【００１３】
前記検索処理部は、前記変更後の表示データと同一の表示データを検索する検索機能を有し、前記編集処理部は、前記検索処理部で検索した前記変更後の表示データと同一の表示データを含む表示データを前記変更前の表示データとともに一括して変更する一括変換機能を有し、前記表示処理部は、前記検索処理部による検索結果としての前記同一の表示データを含む表示画面を特定する画面特定情報であって、キー入力部からの選択により前記同一の表示データの変更の設定が可能な画面特定情報を含む変更後検索結果画面を表示する表示機能を有し、前記編集処理部は、前記変更後検索結果画面で選択された表示画面の前記同一の表示データを変更する機能を有し、前記表示処理部は、前記変更後検索結果画面の画面特定情報の選択により、当該表示画面の表示へ遷移する画面遷移機能を有する。
【００１４】
また、前記記憶部は、前記表示データに関連して少なくとも制限文字数及びフォント情報を含む付随情報を記憶し、前記表示処理部は前記付随情報に基づいて表示データを表示し、前記編集処理部は編集対象の表示データを前記付随情報に基づいて編集することを特徴とし、前記画面特定情報は、予め表示データの付随情報として登録された待ち受け画面から前記表示データを含む表示画面までの操作手順の情報であることを特徴とし、また、編集対象とする表示データを含む表示画面は、携帯端末装置の機能設定のメニュー表示画面であることを特徴とする。
【００１５】
本発明の携帯端末装置の表示データ編集方法は、記憶部に格納された画面データに基づいて表示部への異なる表示画面の表示が可能な携帯端末装置の表示データ編集方法において、任意の表示画面で当該表示画面を編集画面に切り替え、編集画面の表示データをキー入力部の操作により変更し、変更した表示データを前記記憶部に格納することを特徴とし、前記編集画面の編集対象の表示データにカーソル表示を行い、カーソル位置の表示データを変更することを特徴とし、前記画面データの編集対象となった変更前の表示データと同一の表示データを検索し、前記同一の表示データを前記編集対象となった変更前の表示データとともに一括して変更することを特徴とし、前記検索結果としての前記同一の表示データを含む表示画面を特定する画面特定情報であって、キー入力部からの選択により前記同一の表示データの変更の設定が可能な前記画面特定情報を含む変更前検索結果画面を表示し、前記変更前検索結果画面で選択された表示画面の前記同一の表示データを変更することを特徴とし、前記変更前検索結果画面の画面特定情報の選択により当該表示画面の表示へ切換可能であることを特徴とする。
【００１６】
また、前記変更後の表示データと同一の表示データを検索し、検索した前記変更後の表示データと同一の表示データを含む表示データを前記変更前の表示データとともに一括して変更することを特徴とし、検索結果としての前記同一の表示データを含む表示画面を特定する画面特定情報であって、キー入力部からの選択により前記同一の表示データの変更の設定が可能な前記画面特定情報を含む変更後検索結果画面を表示し、前記変更後検索結果画面で選択された表示画面の前記同一の表示データを変更することを特徴とし、前記変更後検索結果画面の画面特定情報の選択により、当該表示画面の表示へ切換可能であることを特徴とする。
【００１７】
また、前記記憶部は前記表示データに関連して少なくとも制限文字数及びフォント情報を含む付随情報を記憶し、前記付随情報に基づいて表示データを表示し、編集対象の表示データを前記付随情報に基づいて編集することを特徴とし、前記画面特定情報は、予め表示データの付随情報として登録された待ち受け画面から前記表示データを含む表示画面までの操作手順の情報であることを特徴とし、また、編集対象とする表示データを含む表示画面は、携帯端末装置の機能設定のメニュー表示画面であることを特徴とする。
【００１８】
［作用］
携帯端末装置の多くの表示項目の表示データに関し編集機能と重複チェック機能を設けることにより、ユーザ独自の表示データへの変更を可能とし、また、予め登録されている表示データをユーザが当該端末上で動作を確認しながら容易に変更することを可能とし、変更時に当該画面又は他の画面で使用している同一表示データの重複チェックを行い、重複する表示データの統一的な置き換えを可能とする。
【発明の効果】
【００１９】
本発明によれば、携帯端末装置に予め登録された表示画面の表示データをユーザが任意に変更できるから、携帯端末装置の使い勝手を向上させることが可能である。
【００２０】
特に、表示画面別に編集可能な表示項目を適宜希望する表現に変更可能であるから、ユーザの携帯端末装置の機能等に関するユーザの使用頻度、使用形態に合わせて好適に変更することが可能である。
【００２１】
表示データを変更するにあたり携帯端末装置が有する全ての表示データを検索して重複チェックし、チェック結果の一覧を画面に表示し、表示した画面から編集を中断することなく、重複する表示データを含む画面の当該表示データの置換え有無を設定し、選択的にまとめて同一の置換えを可能としており、食い違う表記を避けたいものを簡単な操作により一度に変更することが可能である。
【００２２】
また、重複チェックとして変更後の表示データの重複チェックをも行うように構成することにより変更のキャンセル等を可能とし不都合を回避することが可能である。
【００２３】
本発明によれば、携帯端末装置を所有するユーザの年齢、国籍、在住地域等に応じて、子供向け等の漢字を使用しない表現、地方言バージョン等の方言表現、外国語表現等への変更が容易に可能である。
【００２４】
更に、携帯端末装置が有するインタフェース（例えば、ＵＳＢ、ＩｒＤＡ、Ｂｌｕｅｔｏｏｔｈ等）やメール等により、携帯端末装置上で編集した表示データを他の携帯端末装置等に転送することを可能に構成することにより、編集済み表示データの有効利用が可能であり、更に、他の携帯端末装置から転送された表示データの利用時の修正等への対応も容易に可能である。
【発明を実施するための最良の形態】
【００２５】
［実施の形態１］
（構成の説明）
次に、本発明の実施の形態について図面を参照して詳細に説明する。
【００２６】
図１は、本発明の一実施の形態の携帯端末装置の外観を示す図である。本携帯端末装置の外観構造は、キー、釦等の各種操作入力用のキーボードを備えるキー入力部１００、各種の表示画面（機能画面）を表示する液晶表示装置（ＬＣＤ）等でなる表示部２００、マイク、スピーカ等から構成される。キー入力部１００には本実施の形態の機能を制御するため、メニュー機能を起動するＭｅｎｕキー１０１、表示画面上の案内表示（下側左側）に対応する位置に配置され、例えば表示データの変更等の案内内容の動作を指示するＳＫ１キー１０２、同様に例えば確認（実行）の案内表示（下側右側）の内容の動作を指示するＳＫ２キー１０３、画面切換等、所定機能の起動用の●キー１０４、＊キー１０６、＃キー１０７、表示項目等の選択、カーソル移動用の▲キー、▼キー１０５等が設けられている。
【００２７】
図２は、本携帯端末装置の機能を示すブロック図である。１は携帯端末装置に設けた各種キーからのキー入力を受け付けるキー入力部である。２は音声データを入出力するマイクやスピーカを含む通話部である。３は本実施の形態の携帯端末装置の全体を制御する制御部であり、４は携帯端末装置として通話に関する各種表示に加え、各種の機能表示を行うため予め登録された操作手順に基づき、各機能画面を表示したり、編集処理によりデータを変更する画面を表示する表示部であり、５は画面に表示するテキストデータ（ｔｅｘｔデータ）等の編集可能な文字データ（「表示データ」という。）を含む画面データ及び後述する付随情報等の各種データを記憶するメモリ等を含む記憶部である。
【００２８】
制御部３はキー入力部１のキー入力の信号を判別するキーコード認識部３ａ、本発明の表示、編集等を制御する画面制御部３ｂ、音声処理部３ｃからなる。画面制御部３ｂは本発明の編集等の制御に必要な表示制御を行う表示処理部３ｂ１、各表示画面で起動され当該画面に含まれるｔｅｘｔデータ等の表示データを編集する編集処理部３ｂ２から構成される。
【００２９】
次に本実施の形態の画面制御部３ｂ内の機能について詳細に説明する。  
表示処理部３ｂ１は、通常の発着信、機能設定等に対する各種機能の待ち受け画面、発着信、通話等の通話表示画面等の表示に加え、メニュー画面（メインメニュー画面）、メニュー画面配下の各種選択画面（メニュー画面）等の各種の表示画面、当該機能画面の表示データに関しカーソル付きの編集モードとしての編集画面、編集の経過画面、編集による表示データの変更後の変更後画面等、画面情報を生成しそれぞれ必要により切り換え出力し表示部４にそれぞれの画面を切換表示する表示制御機能を有する。
【００３０】
また、表示処理部３ｂ１は、記憶部５に予め格納された画面データの情報及び付随情報を読み出して以上の表示を行うための画面データの作成処理に利用し、更に編集モードでの編集待ち状態を示す編集設定画面、編集設定状態から記憶部５に編集後の機能画面の画面情報を格納し登録処理を行う機能を有する。
【００３１】
記憶部５に格納された画面データは、例えばメニュー表示に関する一連の画面データとしてメインメニュー画面と、当該画面からスタートする選択肢の選択時の階層構造でなる各層の選択画面とともに、それぞれの選択画面での表示項目の文字数、フォント等のテキストデータの付随情報等からなる。
【００３２】
更に、表示処理部３ｂ１は、編集画面で表示データの変更をユーザの決定操作により記憶部５に登録する機能と、この登録までは表示データの変更を仮設定し表示する機能を有する。
【００３３】
図３は、本実施の形態１における実施画面の一例を示す図である。本例ではメニュー画面の選択項目の表示データを変更する動作例を示している。表示画面１０は待ち受け画面からＭｅｎｕ（メニュー）キー１０１の押圧時に表示される設定画面である。当該画面１０には表示データとして多数の表示データ（「Ｓｅｔｔｉｎｇ」、「Ｐｈｏｎｅ」、「Ｐｈｏｎｅ  Ｍｏｄｅ」等）が含まれており、「Ｓｅｔｔｉｎｇ」は当該画面の設定項目の種類を示すタイトルであり、例えば「Ｐｈｏｎｅ」は電話機能に関する選択項目であり、「Ｐｈｏｎｅ  Ｍｏｄｅ」は通話、送受話等に関する選択項目である。通常それぞれの項目を選択することにより更にそれぞれの表示データのタイトルを有する詳細な選択項目でなる選択画面が表示画面として展開される。ここで画面右上の記号Ｍ１は画面特定情報であり待ち受け画面からＭｅｎｕキー１０１の押圧に続く「Ｐｈｏｎｅ」の選択時の表示画面であることを示している。つまり、待ち受け画面から当該表示画面を表示するためキー操作の操作手順を示すものである。
【００３４】
画面１０において、＊キー１０６を長押しすることにより前記表示データを編集する編集機能が起動して、編集機能初期画面１１が表示される。編集機能が起動中であるか否かは画面１１におけるカーソルの有無等の表示により判断可能である。
【００３５】
画面１１においてカ−ソルの位置は方向キー▲キーまたは▼キー１０５により適宜移動させることが可能である。カーソルを編集したい表示データの“Ｐｈｏｎｅ  ｍｏｄｅｓ”へ移した場合の画面が当該選択項目が編み掛け等で表示された編集機能画面１２である。
【００３６】
本例では、変更前の表示データ“Ｐｈｏｎｅ  ｍｏｄｅｓ”を“Ｍｏｄｅ”に変更する例を示しており、キー入力部１から英文字入力で“Ｍｏｄｅ”とキー入力し、データ入力後画面１３のように変更設定を行う。画面１３の表示内容で問題ないことを確認した後、●キー１０４を押すことにより変更設定したテキストデータの変更を記憶部５に登録する等の確定処理が実行される。
【００３７】
以下同様にして、各種表示画面等において編集画面に切り換えた後にカーソルにより編集対象（表示項目）を特定し、キー入力部１からのテキスト入力と●キー１０４の押圧によりそれぞれの表示データを変更し表示項目の表記を任意に変更することが可能である。
【００３８】
（動作の説明）
次に、実施の形態１の携帯端末装置及び携帯端末装置の表示データ編集方法の処理動作をフローチャートを用いて説明する。  
図４はデータ編集機能の起動処理を示すフローチャートであり、図５はデータ入力、編集機能処理を示すフローチャートであり、図６はデータ編集におけるデータ入力及び登録処理を示すフローチャートである。
【００３９】
図４の起動処理では、携帯端末装置に表示された任意の画面（ステップＳ１）において、編集機能を起動するため＊キーを長押しされたか否かを常時チェックしており（ステップＳ２）、もし＊キーが長押しされた場合、データ編集機能が実行中か否かを判断し（ステップＳ３）、データ編集機能が既に起動されていれば、編集機能のキャンセルにより終了し（ステップＳ４）、通常の画面に戻る（ステップＳ１）。また、ステップＳ３で編集機能が起動されていなければ、画面上に表示データがあるか否かをチェックし（ステップＳ５）、表示データが存在しない場合は通常の画面に戻り（ステップＳ１）、表示データが存在する場合は図５のデータ編集機能処理へ遷移する（ステップＳ６）。
【００４０】
図５のデータ編集機能処理では、先ず画面１１（図３）のようなデータ編集機能初期画面を表示する（ステップＳ１０）。編集機能が起動中であることは、画面１１で示すような表示データにカーソルを表示することで示す（ステップＳ１１）。通常画面でもカーソル表示を行う為、通常画面のカーソルとは色等を変えてユーザが識別しやすいものにする。▲キーまたは▼キー操作によりユーザが編集したい表示データを選択する場合は当該キー操作に応じた表示データへカーソルを移動する（ステップＳ１１）。画面１２のようにカーソルのある表示データに付随するフォントサイズや最大入力文字数あるいは予め登録した画面特定情報としての待ち受け画面からの操作手順の情報等を取得する（ステップＳ１２）。操作手順の情報は画面１０では画面の右上の“Ｍ１”の表示情報であり、“Ｍ”はＭｅｎｕキーの押圧を示し、待ち受け画面からＭｅｎｕキーを押し、次に１キーを押すことにより画面１０になることを示している。表示データに付随する情報を読み出した後（ステップＳ１２）、図６に示すデータ入力処理に遷移する（ステップＳ１３）。
【００４１】
図６のデータ入力処理（ステップＳ１３）では、編集機能をキャンセルする為の＊キーが長押しされたか否かをチェックし（ステップＳ２０）、＊キーが長押しされた場合、編集処理を終了し画面１０に戻る（ステップＳ４）。それ以外は、文字入力待ち状態となる（ステップＳ２１）。文字が入力されると、カーソルがあったところに入力した文字を表示し（ステップＳ２２）、当該入力が表示データに関連して取得した最大入力文字数であるか否かをチェックし（ステップＳ２３）、最大入力文字数の入力でなければ、カーソルを入力した文字の右に１文字分シフトする（ステップＳ２４）。最大入力文字数になった場合、カーソルはそのままにして、次に入力するキーがデータ登録の為の●キーか否かをチェックする（ステップＳ２５）。データ登録の為の●キーが押された場合、データ登録処理を行う（ステップＳ１４）。データ登録処理の終了後、次の表示データの編集のため図５のデータ編集機能処理に戻り、ここで＊キーの長押しによる編集終了か否かを判断し（ステップＳ１５）、引き続き編集処理の継続が可能である。そして、ステップＳ１５で＊キーの長押しを検出したら編集処理を終了し画面１０に戻る（ステップＳ４）。  
以上の処理動作により、任意の表示画面において個別にユーザの希望する表示データの変更が可能である。
【００４２】
［実施の形態２］
以上の実施の形態では、特定の表示画面で使用されている表示データを編集機能により個別に変更する例を説明したが、このような編集結果、当該表示画面又は関連する他の表示画面で変更前の同一表示データが使用されている場合、統一性を欠き設定操作を間違える等のおそれがある。また、この場合それぞれの表示画面を開いて変更するのは編集操作が煩雑であり編集漏れを生じ得る。
【００４３】
本実施の形態２は、特定の表示画面で編集済みの編集対象の表示データと同一表示データが当該表示画面又は他の表示画面で使用されている場合を想定して、表示データの変更設定後の確定操作（●キーの押圧）において、登録動作前に表示データ検索処理を自動的に起動し同一表示データを検索し、簡易に同一の表記の変更を所定の操作キーの押圧によりデータ入力することなく実行することを可能とし、又はその表示画面を確認しながら変更する表示画面の１ないし複数を特定して一度に行うことを可能に構成したものである。
【００４４】
図７は、本発明の実施の形態２の機能を示すブロック図である。本実施の形態２は実施の形態１の構成及び機能に加え以下の構成及び機能を有する。つまり、画面制御部３ｄには表示処理部３ｄ１及び編集処理部３ｄ２に加え、検索処理部３ｄ３を備える。
【００４５】
検索処理部３ｄ３は、図３に示す表示データの変更設定を確定するユーザのキー入力操作（●キーの押圧）に連動して関連する表示画面等に含まれる表示データを記憶部５の記憶情報から検索し当該検索結果、同一表示データが検索された表示画面をその画面特定情報（Ｍ１２等、操作手順の情報）により特定し、表示処理部３ｄ１に通知する機能を有する。
【００４６】
表示処理部３ｄ１は、実施の形態１と同様の画面情報を出力する機能に加えて、検索結果の表示画面として前記画面特定情報を表示する検索結果画面を表示部４に表示する機能、当該検索結果画面において、表示データの変更を仮設定し表示する機能を有する。これにより表示データの変更が他の画面に表示項目として当該表示画面の全体を通して統一的に変更されることが確認されるまで保留し、変更が齟齬を来す等、不都合な場合にユーザの登録のキャンセル処理等を可能とする。また、ユーザの選択により同一表示データの変更時にその表示画面の同一表示データを編集処理部３ｂ２に渡す機能を有する。編集処理部３ｄ２は表示処理３ｄ１から送られた前記表示データを一括変更する機能を有する。
【００４７】
図８、９は、本実施の形態２における特徴的な実施画面の一例を示す図である。実施の形態１と同様の表示データの変更時に重複チェックで重複する表示データがあった場合の表示動作例を示しており、前記表示データ検索処理では変更前の表示データの重複チェックが行われる。データ編集機能は図３に示す表示データの変更と同様であり、変更前の表示データの重複チェックの表示動作例を“Ｐｈｏｎｅ  ｍｏｄｅｓ”の有無により説明する。  
図８は、変更前の表示データに重複がない場合のデータ編集の実施画面を示す図である。同図に示すように変更前表示データに重複がない場合は●キーの押圧時に実施の形態１と同じ画面１４が表示される。ただし、この場合にも表示データの変更時に、他に表示データ“Ｐｈｏｎｅ  ｍｏｄｅｓ”が重複して使用されているか否かが検索によりチェックされており、重複する表示データがないことから画面１３で入力された“Ｍｏｄｅ”が記憶部４に登録されている“Ｐｈｏｎｅ  ｍｏｄｅｓ”と置き換えられて登録され、置き換えた後のデータ登録画面１４が表示されたものである。
【００４８】
図９は、検索結果、同一表示データが含まれる場合の実施画面の一例を示す図である。変更前の表示データを重複チェックした結果は、変更前検索結果画面１５として表示される。画面１５には重複チェックにより同一表示データが含まれるとして抽出された表示画面１６の画面特定情報“Ｍ１２”が表示される。
【００４９】
変更前検索結果画面１５において、●キー１０４を押すことにより“Ｍ１２”で特定される表示画面１６に遷移させて確認することが可能である。表示画面１６にはタイトルの表示データとして、前述の変更前の表示データ“Ｐｈｏｎｅ  ｍｏｄｅｓ”が重複使用されていることが分かる。また、複数の表示画面の画面特定情報が表示されている場合（図示せず）は、▲キーまたは▼キー１０５にてカーソルを当該画面特定情報に移動させることによりそれぞれの表示画面１６等が選択的に表示される。
【００５０】
表示画面１６において“Ｐｈｏｎｅ  ｍｏｄｅｓ”が表示されていることを確認した後、ＳＫ２キー１０３を押すことにより変更前検索結果画面１５に戻ることが可能である。画面１５で、画面１６の表示データ“Ｐｈｏｎｅ  ｍｏｄｅｓ”も同様に“Ｍｏｄｅ”に変更する場合は、ＳＫ１キー“Ｃｈａｎｇｅ”を押すことにより変更を設定した画面の画面特定情報にチックが付されたデータ検索結果設定画面１７が表示される。
【００５１】
この場合、データ検索結果設定画面１７の画面特定情報“Ｍ１２”の左にあるボックスにチェックマークが付き、この状態でＳＫ２キー“Ｄｏｎｅ”を押すことにより、今回編集対象の画面特定情報“Ｍ１”の“Ｐｈｏｎｅ  ｍｏｄｅｓ”と共に、画面特定情報Ｍ１２番目の“Ｐｈｏｎｅ  ｍｏｄｅｓ”も表示データ“Ｍｏｄｅ”に置き換える対象として、ＳＫ２キー“Ｄｏｎｅ”を押した時に変更設定したテキストデータの変更を記憶部５に登録する確定処理が実行される。
【００５２】
つまり、変更前検索結果画面１５で画面特定情報Ｍ１２のボックスにチェックマークを付けずにＳＫ２キー“Ｄｏｎｅ”を押すと、図９の上側の画面１４に示すように、２番目の“Ｐｈｏｎｅ  ｍｏｄｅｓ”が“Ｍｏｄｅ”に変更され、画面特定情報Ｍ１２の画面１６の“Ｐｈｏｎｅ  ｍｏｄｅｓ”は変更されない。また、変更前検索結果画面１５で画面特定情報Ｍ１２のボックスにチェックマークを付けた後（画面１７）、ＳＫ２キー“Ｄｏｎｅ”を押すと、図９の下側の画面１４、１８に示すように、画面特定情報Ｍ１の２番目の“Ｐｈｏｎｅ  ｍｏｄｅｓ”が“Ｍｏｄｅ”に変更され、画面特定情報Ｍ１２の“Ｐｈｏｎｅ  ｍｏｄｅｓ”が“Ｍｏｄｅ”に変更される。
【００５３】
（動作の説明）
次に、実施の形態２の携帯端末装置及び携帯端末装置の表示データ編集方法の処理動作をフローチャートを用いて説明する。本実施の形態２におけるデータ編集機能の起動に関する動作は実施の形態１で使用した図４と同一であるから図４のフローチャートを参照して説明する。
【００５４】
図１０はデータ入力、編集機能処理を示すフローチャートであり、図１１はデータ編集におけるデータ入力を示すフローチャートである。また、図１２はデータ検索及び登録処理を示すフローチャートである。
【００５５】
本実施の形態２のデータ編集機能の起動処理は、携帯端末装置に表示された任意の画面（図４、ステップＳ１）において、編集機能を起動するため＊キーを長押しされたか否かをチェックし（図４、ステップＳ２）、もし＊キー長押しされた場合、編集機能が既に起動されていれば（図４、ステップＳ３）、編集機能のキャンセルにより終了させ（図４、ステップＳ４）、通常の画面（図４、ステップＳ１）に戻る。また、編集機能が起動されていなければ、画面上に表示データがあるか否かをチェックし（図４、ステップＳ５）、表示データが存在しない場合は通常の画面（図４、ステップＳ１）に戻る。表示データが存在する場合は図１０のデータ編集機能処理へ遷移する（ステップＳ６）。
【００５６】
図１０の編集機能処理では、先ず画面１１のような編集機能初期画面を表示する（ステップＳ１０）。編集機能が起動中であるか否かは画面１１で示すようにカーソルで表示する（ステップＳ１１）。実施の形態１と同様に通常画面のカーソルとは色等を変える。▲キーまたは▼キー操作によりユーザが編集したい表示データを選択した場合は当該キー操作に応じた表示データへカーソルを移動する（ステップＳ１１）。画面１２のようにカーソルのある表示データに付随するフォントサイズや最大入力文字数あるいは画面特定情報（Ｍ１、Ｍ１２等）等を入手する（ステップＳ１２）。表示データに付随する情報を読み出し（ステップＳ１２）した後、図１１のデータ入力処理に移行する（ステップＳ１３）。
【００５７】
図１１のデータ入力処理（ステップＳ１３）では、編集機能をキャンセルする為の＊キー長押しが押されたか否かをチェックし（ステップＳ２０）、＊キー長押しがされた場合、編集処理を終了し画面１０に戻る。それ以外は、文字入力待ち状態となる（ステップＳ２１）。文字が入力されると、カーソルがあったところに入力した文字を表示し（ステップＳ２２）、当該入力が最大入力文字数であるか否かをチェックし（ステップＳ２３）、最大入力文字数の入力でなければ、カーソルを入力した文字の右に１文字分シフトする（ステップＳ２４）。最大入力文字数になった場合、カーソルはそのままにして、次に入力するキーがデータ登録の為の●キーか否かをチェックし（ステップＳ２５）、●キーが押された場合、図１２のデータ検索処理に移行する（ステップＳ１６）。
【００５８】
図１２のデータ検索処理（ステップ１６）では変更前表示データの検索処理である変更前表示データ検索処理を行う（ステップＳ３０）。変更前表示データ検索処理は、変更前表示データが他の画面でも使用されているかを重複チェックする（ステップＳ３１）。  
もし、存在しない場合は、変更前の表示データの重複はなく、変更後表示データ検索結果による置換え処理のみとなり、もし、使用されていた場合、画面１５のように変更前検索結果画面が表示される（ステップＳ３２）。画面１５の中で表示される“Ｍ１２”にカーソルを移動（ステップＳ３３）し、●キーを押すことにより、該当の画面１６を編集中に確認の為に表示することができる（ステップＳ３４）。画面１６で表示内容を確認後、画面１５に戻り、もし画面１５で、画面１６のデータも同じ“Ｍｏｄｅ”に変更する場合（ステップＳ３５）、ＳＫ１キー“Ｃｈａｎｇｅ”を押すことにより変更設定が可能である。設定した画面はデータ検索結果設定画面１７である（ステップＳ３６）。画面１７で他に対象の画面があれば（ステップＳ３７）、同様に表示画面を確認して設定する。この後、ＳＫ２キー“Ｄｏｎｅ”を押すことによりデータ登録処理を行う（ステップＳ１４）。
【００５９】
データ登録処理の終了後、次の表示データの編集のため図１０のデータ編集機能処理に戻り、ここで＊キー長押しによる編集終了か否かを判断し（ステップＳ１５）、引き続き編集処理を継続可能である。そして、ステップＳ１５で＊キー長押しが検出されたら編集処理を終了し画面１０に戻る（ステップＳ４）。  
以上の処理動作により、任意の表示画面でユーザの希望する表示データを他の画面等に含まれる重複する表示データとともに一括変更することが可能である。
【００６０】
［実施の形態３］
以上説明した実施の形態２では、特定の表示画面の表示データをデータ入力で変更するとともに、他の表示画面の同一表示データをも一括変更する例を説明したが、このような編集結果、当該表示画面又は関連する他の表示画面で変更後の表示データが使用されている場合があり、統一性を欠き設定操作を間違える等のおそれがあり、また、最初の変更（“Ｐｈｏｎｅ  ｍｏｄｅｓ”を“Ｍｏｄｅ”へ変更）は適切でない場合もあり得る。そこで実施の形態３では変更後の表示データの重複チェックをも行うようにしたものである。
【００６１】
図１３は、本発明の実施の形態３の機能を示すブロック図である。本実施の形態３は実施の形態１及び２の構成及び機能に加え以下の構成及び機能を有する。つまり、画面制御部３ｅには図７と同様に表示処理部３ｅ１及び編集処理部３ｅ２に加え、検索処理部３ｅ３を備える。
【００６２】
検索処理部３ｅ３は、図３、８に示すような表示データの変更設定を確定するユーザのキー入力操作（●キーの押圧）に連動して関連する表示画面等に含まれる表示データを検索し当該検索結果、同一表示データが検索された表示画面をその画面特定情報等により特定し、表示処理部３ｅ１に通知する機能を有する。
【００６３】
更に検索処理部３ｅ３は、前記変更前表示データ検索処理の結果を踏まえて、変更後表示データ検索処理を行う機能を有する。つまり、前記表示データ検索処理では、変更前の表示データと変更後の表示データの両方を重複チェックする。
【００６４】
図１４〜１６は、本実施の形態３における特徴的な実施画面の一例を示す図である。編集対象の表示データの変更時に重複チェックで重複する表示データがあった場合の表示動作例を示しており、前記表示データ検索処理では変更前の表示データの重複チェックに続き変更後の表示データの重複チェックの両方が行われる。
【００６５】
実施の形態２と同様に変更前の重複チェックは“Ｐｈｏｎｅ  ｍｏｄｅｓ”について、変更後の重複チェックは“Ｍｏｄｅ”についてそれぞれ重複する表示データの有無がチェックされる例を示している。
【００６６】
このような変更例は、例えば“Ｍｏｄｅ”の用語が使用された表示項目が多数ある場合に、これがユーザにとって分かりにくいとして、単一の“Ｍｏｄｅ”という表現に統一したい等の希望によるものである。
【００６７】
図１４は変更前表示データ及び変更後表示データに重複がない場合の実施画面を示す図である。この場合、本実施の形態３では変更前の表示データの重複チェックに続き変更後の表示データの両方の重複チェックが行われるが、設定により変更前及び変更後の検索結果画面は表示されないので、実施の形態１、２の編集表示画面（図４、８）と同様である。
【００６８】
図１５は変更前表示データに重複があり変更後表示データに重複がない場合の実施画面を示す図である。この場合、変更前の表示データの重複チェックのみで重複が検出され、設定により変更後の検索結果画面は表示されないので、実施の形態２の編集表示画面（図９）と同様である。変更後表示データに重複がない場合は、画面１５あるいは画面１７の設定条件の何れかでＳＫ２キーを押すことにより、変更後検索結果画面１９（後述）が表示されずにそれぞれ画面１４と画面１８、あるいは画面１６のままとなる。
【００６９】
図１６は変更前表示データに重複が無く変更後表示データの重複がある場合の実施画面を示す図である。この場合、変更後の表示データの重複チェックのみで重複が検出され、変更前検索結果画面１５は表示されない。
【００７０】
画面１３より変更後表示データの検索結果、“Ｍｏｄｅ”を含む表示データが他に存在した場合に変更後検索結果画面１９が表示される。画面１９は、編集対象となった画面特定情報“Ｍ１”の画面１０の変更後の表示データに“Ｍｏｄｅ”を含み、画面特定情報“Ｍ８７３”（待ち受け画面からＭｅｎｕキー、８キー、７キーそして３キーを押すことにより表示される）を含む画面２０が“Ｍｏｄｅ  ｓｅｔｔｉｎｇ”として“Ｍｏｄｅ”を含む為、重複チェックによりそれぞれが抽出されたことを示している。なお、この例では簡略化のため、それ以外の重複については省略している。
【００７１】
ここで画面２０の内容を確認し、画面１９の状態でＳＫ２キー“Ｄｏｎｅ”を押すことにより、画面１２と画面２０で示すように、表示データの置換えを行わない動作が可能である。
【００７２】
また、画面２１の状態で“Ｍ８７３”と“Ｍ１”の両方の画面ともに“Ｍｏｄｅ”に置き換える設定とＳＫ２“Ｄｏｎｅ”を押すことにより、画面１４と画面２２で示すように、表示データを“Ｍｏｄｅ”に置換えを行う動作が可能である。
【００７３】
（動作の説明）
次に、実施の形態３の携帯端末装置及び携帯端末装置の表示データ編集方法の処理動作をフローチャートを用いて説明する。本実施の形態３におけるデータ編集機能の起動に関する動作は実施の形態１に関する図４のフローチャートと同一であり、データ編集及び入力機能に関する動作は実施の形態２に関する図１０、１１と同一であることから、それぞれのフローチャート（図４、１０、１１）を使用して説明する。
【００７４】
また、図１７は実施の形態３のデータ検索及び登録処理を示すフローチャートである。
【００７５】
本実施の形態３のデータ編集機能の起動処理では携帯端末装置に表示された任意の画面（図４、ステップＳ１）において、編集機能を起動するため＊キーを長押しされたか否かをチェックし（図４、ステップＳ２）、もし＊キー長押しされた場合、編集機能が既に起動されていれば（ステップＳ３）、編集機能のキャンセルにより終了させ（図４、ステップＳ４）、通常の画面に戻る（図４、ステップＳ１）。また、編集機能が起動されていなければ、画面上に表示データがあるか否かをチェックし（図４、ステップＳ５）、表示データが存在しない場合は通常の画面に戻る（図４、ステップＳ１）。表示データが存在する場合は図１０のデータ編集機能処理へ遷移する（図１０、ステップＳ６）。
【００７６】
図１０のデータ編集機能処理では、先ず画面１１（図１４）のような編集機能初期画面を表示する（ステップＳ１０）。編集機能が起動中であるか否かは、画面１１で示すようにカーソルで表示する（図１０、ステップＳ１１）。実施の形態１、２と同様に通常画面のカーソルとは色等を変える。▲キーまたは▼キー操作によりユーザが編集したい表示データを選択する場合は当該キー操作に応じた表示データへカーソルを移動する（図１０、ステップＳ１１）。画面１２（図１４）のようにカーソルのある表示データに付随するフォントサイズや最大入力文字数あるいは画面特定情報（Ｍ１、Ｍ１２等）等を取得し（図１０、ステップＳ１２）、図１１のデータ入力処理に移行する（ステップＳ１３）。
【００７７】
データ入力処理（図１１、ステップＳ１３）では、編集機能をキャンセルする為の＊キー長押しがされたか否かをチェックし（図１１、ステップＳ２０）、＊キー長押しされた場合、編集処理を終了し画面１０（図１４）に戻る。それ以外は、文字入力待ち状態となる（図１１、ステップＳ２１）。文字が入力されると、カーソルがあったところに入力した文字を表示し（ステップＳ２２）、当該入力が最大入力文字数であるか否かをチェックし（図１１、ステップＳ２３）、最大入力文字数の入力でなければ、カーソルを入力した文字の右に１文字分シフトする（図１１、ステップＳ２４）。最大入力文字数になった場合、カーソルはそのままにして、次に入力するキーがデータ登録の為の●キーが押されたか否かをチェックする（図１１、ステップＳ２５）。●キーが押された場合、図１２のデータ検索処理に移行する（図１２、ステップＳ１６）。
【００７８】
データ検索処理（図１７）では、先ず、変更前表示データ検索処理（ステップＳ３０）において、変更前表示データが他の画面でも使用されているか否かをチェックする（ステップＳ３１）。もし、存在しない場合は、変更前の表示データの重複はなく、変更後表示データ検索結果による置換え処理のみとなる。
【００７９】
もし、使用されていた場合、図１５のように変更前検索結果画面１５を表示する（ステップＳ３２）。画面１５の中で表示される“Ｍ１２”にカーソルを移動し（ステップＳ３３）、●キーを押すことにより、“Ｍ１２”の画面１６を編集中に確認の為に表示することができる（ステップＳ３４）。画面１６で表示内容を確認後、画面１５に戻り、もし画面１５で、画面１６のデータも同じ“Ｍｏｄｅ”に変更する場合（ステップＳ３５）、ＳＫ１キー“Ｃｈａｎｇｅ”を押すことにより、置換えを有効として設定することができる。設定した画面はデータ検索結果設定画面１７（図１５）である（ステップＳ３６）。画面１７で他に対象の画面があれば（ステップＳ３７）、同様に表示画面を確認して設定する。
【００８０】
全ての変更前表示データ検索結果のデータ確認が完了したら、変更後表示データ検索処理に入る（ステップＳ４０）。変更後表示データ“Ｍｏｄｅ”が他の画面でも使用されているか否かをチェックし（ステップＳ４１）、使用されている場合は変更後検索結果画面１９を表示する（ステップＳ４２）。
【００８１】
もし、使用されていない場合は、画面１９は表示せずに画面１４のように入力した“Ｍｏｄｅ”に置き換えられる。もし、使用されていた場合は、変更後検索結果画面１９を表示する（ステップＳ４２）。
【００８２】
画面１９の中で表示される“Ｍ８７３”にカーソルを移動し（ステップＳ４３）、●キーを押すことにより該当の画面２０を表示することができる（ステップＳ４４）。画面２０で表示内容を確認後、画面１９に戻り、もし画面２０のデータも同様に“Ｍｏｄｅ”に変更する場合（ステップＳ４５）、ＳＫ１キー“Ｃｈａｎｇｅ”を押すことにより、“Ｍ８７３”の前のチェックボックスにチックマークが付いたデータ検索結果設定画面２１になる（ステップＳ４６）。
【００８３】
画面２１で他に対象の画面があれば（ステップＳ４７）、同様に表示画面を確認して設定する。検索結果全てのチェックをした後（ステップＳ４７）、この後、ＳＫ２キー“Ｄｏｎｅ”を押すことにより設定された内容に基づき、表示データの置換えを行い、データ登録処理を行う（ステップＳ１５）。
【００８４】
データ登録処理の終了後、次の表示データの編集のため図１０のデータ編集機能処理に戻り、ここで＊キー長押しによる編集終了か否かを判断し（図１０、ステップＳ１５）、他の表示データや他の画面の表示データを変更する場合も同様に引き続き編集処理を継続可能である。そして、ステップＳ１５で＊キー長押しが検出されたら編集処理を終了し画面１０に戻る（ステップＳ４）。  
以上の処理動作により、任意の表示画面でユーザの希望する表示データを他の画面等に含まれる重複する表示データである変更前表示データ及び変更後表示データとともに一括変更することが可能である。
【００８５】
以上のように、表示データを置き換える場合、変更前と変更後の表示データの両方を重複チェックして、変更前の検索処理で抽出されたデータに対しては、同一表示データに置換え有無を設定でき、置換えを設定した場合、該当画面にて再度編集操作をすることなく、一括置換えを可能とし、変更後の検索処理で抽出されたデータに対しては、再度新たな表示データを入力し直すか、そのまま置き換えするかの設定することにより、ユーザが内容を確認しながらユーザ独自の表示データに容易に置き換えることができる。
【００８６】
［他の実施の形態］
以上の実施の形態では携帯端末装置内での表示データの変更についてのみ述べたが、所望の表示画面の表示データの変更により、使い勝手を向上させた後、当該携帯端末装置にパソコンと接続して該パソコンへデータを出力したり、ＩｒＤＡやＢｌｕｅｔｏｏｔｈ等より他の携帯端末装置へ転送することにより変更後の同じ表示データを他の携帯端末装置等において使用するように構成することが可能である。
【００８７】
また、携帯端末装置の記憶部として編集登録可能な表示データの記憶領域とは別に編集登録が不可能な予め登録された表示データの記憶領域を確保することにより、携帯端末装置のリセット機能により出荷時の表示データによる表示画面に戻すように構成することも可能である。
【００８８】
更に、携帯端末装置の表示画面の変更をインターネット上の画面データを提供するサーバーからダウンロードを受けることによっても実現可能に構成することができる。この場合本発明によればダウンロードされる表示画面が例えば「漢字のない子供向け」、「各地方言バージョン」、「外国人向け」等の表示データであってもユーザにとって好適な表示画面又はユーザの嗜好等に適合した表示画面とするような対応が極めて容易に行うことができる。
【産業上の利用可能性】
【００８９】
本発明は、携帯電話機、ＰＨＳ（Personal Handyphone System）、ＰＤＡ（Personal Data、Assistance, Personal Digital Assistants:個人向け携帯型情報通信機器）等の携帯端末装置に適用が可能である。
【図面の簡単な説明】
【００９０】
【図１】本発明の一実施の形態の携帯端末装置の外観を示す図である。
【図２】本携帯端末装置の機能を示すブロック図である。
【図３】本実施の形態１における実施画面の一例を示す図である。
【図４】データ編集機能の起動処理を示すフローチャートである。
【図５】データ入力、編集機能処理を示すフローチャートである。
【図６】データ編集におけるデータ入力及び登録処理を示すフローチャートである。
【図７】本発明の実施の形態２の機能を示すブロック図である。
【図８】変更前の表示データに重複がない場合のデータ編集の実施画面を示す図である。
【図９】検索結果、同一表示データが含まれる場合の実施画面の一例を示す図である。
【図１０】データ入力、編集機能処理を示すフローチャートである。
【図１１】データ編集におけるデータ入力を示すフローチャートである。
【図１２】データ検索及び登録処理を示すフローチャートである。
【図１３】本発明の実施の形態３の機能を示すブロック図である。
【図１４】変更前表示データ及び変更後表示データに重複がない場合の実施画面を示す図である。
【図１５】変更前表示データに重複があり変更後表示データに重複がない場合の実施画面を示す図である。
【図１６】変更前表示データに重複が無く変更後表示データの重複がある場合の実施画面を示す図である。
【図１７】実施の形態３のデータ検索及び登録処理を示すフローチャートである。
【符号の説明】
【００９１】
１、１００  キー入力部
２  通話部
３  制御部
２ａ  キーコード認識部
３ｂ  画面制御部
３ｂ１、３ｄ１、３ｅ１  表示制御部
３ｂ２、３ｄ２、３ｅ２  編集処理部
３ｄ３、３ｅ３  検索処理部
４  表示部
５  記憶部
１０  表示画面
１１  編集機能初期画面
１２  編集機能画面
１３  データ入力後画面
１４  データ入力登録後画面
１５  変更前検索結果画面
１６  変更前表示データを含む画面
１７  変更前表示データ検索結果の変更設定後画面
１８  変更前の重複表示データの変更画面（“Ｍｏｄｅ”変更後画面）
１９  変更後検索結果画面
２０  変更後表示データを含む画面
２１  変更後表示データ検索結果の変更設定後画面
２２  変更後の重複表示データの変更画面（“Ｍｏｄｅ”変更後画面）
１０１  Ｍｅｎｕ（メニュー）キー
１０２  ＳＫ１キー
１０３  ＳＫ２キー
１０４  ●キー
１０５  方向キー
２００  表示部
【図１】
2006129398.tif 000003
【図２】
2006129398.tif 000004
【図３】
2006129398.tif 000005
【図４】
2006129398.tif 000006
【図５】
2006129398.tif 000007
【図６】
2006129398.tif 000008
【図７】
2006129398.tif 000009
【図８】
2006129398.tif 000010
【図９】
2006129398.tif 000011
【図１０】
2006129398.tif 000012
【図１１】
2006129398.tif 000013
【図１２】
2006129398.tif 000014
【図１３】
2006129398.tif 000015
【図１４】
2006129398.tif 000016
【図１５】
2006129398.tif 000017
【図１６】
2006129398.tif 000018
【図１７】
2006129398.tif 000019